(57)【要約】【課題】簡単な操作で接続できるうえ、釣糸の強力を良好に且つ均等に発揮でき、しかも釣糸に大きな引張力が加わるとこれを緩衝できるようにする。【解決手段】第１釣糸(２)と第２釣糸(３)とを互いに接続する釣糸の接続方法である。第１釣糸(２)の端部(2a)を第２釣糸(３)の端部(3a)近傍に沿わせて並列部(６)を形成する。並列部(６)は、接続用糸(４)を筒状に編み込んで形成した筒状編込部材(５)内に配置する。各釣糸(２・３)の端部(2a・3a)の、筒状編込部材(５)から外れた部位に、それぞれの糸径よりも大きい径大部(７)を形成する。並列部(６)を筒状編込部材(５)で周囲から締め付けたのち、両釣糸(２・３)の端部(2a・3a)を互いに近接させ、各径大部(７)を筒状編込部材(５)の両端でそれぞれ受け止める。【選択図】図１
2010166828.tif 000002
【特許請求の範囲】
【請求項１】
第１釣糸(２)と第２釣糸(３)とを互いに接続する釣糸の接続方法であって、
上記の第１釣糸(２)の端部(2a)を第２釣糸(３)の端部(3a)近傍に沿わせて並列部(６)を形成し、
上記の並列部(６)は、接続用糸(４)を筒状に編み込んで形成した筒状編込部材(５)内に配置し、
各釣糸(２・３)の端部(2a・3a)のうち上記の筒状編込部材(５)から外れた部位にそれぞれの糸径よりも大きい径大部(７)を形成し、
上記の並列部(６)を上記の筒状編込部材(５)で周囲から締め付けたのち、上記の両釣糸(２・３)の端部(2a・3a)を互いに近接させ、上記の各径大部(７)をこの筒状編込部材(５)の両端でそれぞれ受け止めることを特徴とする、釣糸の接続方法。
【請求項２】
上記の筒状編込部材(５)を予め形成しておき、この筒状編込部材(５)内に上記の両釣糸(２・３)を挿通して上記の並列部(６)を形成し、この筒状編込部材(５)を挟んで互いに反対側の位置に上記の各釣糸(２・３)の端部(2a・3a)をそれぞれ配置する、請求項１に記載の釣糸の接続方法。
【請求項３】
所定長さの案内路(９)を備えた挿通案内具(10)の周囲に上記の筒状編込部材(５)を形成し、各釣糸(２・３)を上記の案内路(９)で案内して筒状編込部材(５)内へ挿通し、この挿通案内具(10)を筒状編込部材(５)内から取り去ったのち、この筒状編込部材(５)を縮径して上記の両釣糸(２・３)を周囲から締め付ける、請求項２に記載の釣糸の接続方法。
【請求項４】
一端に環状部(12)を備え上記の筒状編込部材(５)よりも長い挿通補助具(11・14)をその筒状編込部材(５)内に配置し、上記の環状部(12)に釣糸(２・３)を挿通したのち、この挿通補助具(11・14)を上記の筒状編込部材(５)から抜き取ることで、その釣糸(２・３)を上記の筒状編込部材(５)内へ挿通する、請求項２または請求項３に記載の釣糸の接続方法。
【請求項５】
上記の第１釣糸(２)の周囲で上記の接続用糸(４)を編み込むことにより、この第１釣糸(２)の周囲に上記の筒状編込部材(５)を形成し、この筒状編込部材(５)内へ第２釣糸(３)を上記の第１釣糸(２)に沿って挿通する、請求項１に記載の釣糸の接続方法。
【請求項６】
所定長さの案内路(９)を備えた挿通案内具(10)を上記の第１釣糸(２)の端部(2a)寄り位置に配置し、この挿通案内具(10)と第１釣糸(２)との周囲に上記の筒状編込部材(５)を形成し、上記の第２釣糸(３)を上記の案内路(９)で案内して上記の筒状編込部材(５)内へ挿通し、この挿通案内具(10)を筒状編込部材(５)内から取り去ったのち、この筒状編込部材(５)を縮径して上記の両釣糸(２・３)を周囲から締め付ける、請求項５に記載の釣糸の接続方法。
【請求項７】
一端に環状部(12)を備え上記の筒状編込部材(５)よりも長い挿通補助具(11)を、その筒状編込部材(５)内で上記の第１釣糸(２)に沿って配置し、上記の環状部(12)に上記の第２釣糸(３)を挿通したのち、この挿通補助具(11)を上記の筒状編込部材(５)から抜き取ることで、その第２釣糸(３)を上記の筒状編込部材(５)内へ挿通する、請求項５または請求項６に記載の釣糸の接続方法。
【請求項８】
上記両釣糸(２・３)の並列部(６)を形成したのち、接続用糸(４)を編み込んでこの並列部(６)の周囲に上記の筒状編込部材(５)を形成する、請求項１に記載の釣糸の接続方法。
【請求項９】
上記の接続用糸(４)は、吸水性に優れた繊維からなる、請求項１から８のいずれか１項に記載の釣糸の接続方法。
【請求項１０】
上記の接続用糸(４)は、捲縮率の大きい繊維からなる、請求項１から９のいずれか１項に記載の釣糸の接続方法。
【請求項１１】
第１釣糸(２)と第２釣糸(３)とを互いに接続する釣糸接続具であって、
接続用糸(４)を編み込んで形成した筒状編込部材(５)を備え、
この筒状編込部材(５)内には上記の第１釣糸(２)の端部(2a)を第２釣糸(３)の端部(3a)近傍に沿わせて形成した並列部(６)が収容され、
この筒状編込部材(５)は、上記の並列部(６)を締め付け可能に縮径でき、
この縮径した筒状編込部材(５)は、各釣糸(２・３)の端部(2a・3a)に形成された径大部(７)を受け止めできることを特徴とする、釣糸接続具。
【請求項１２】
第１釣糸(２)と第２釣糸(３)とを互いに接続する釣糸接続具であって、
接続用糸(４)を編み込んで形成した筒状編込部材(５)と、この筒状編込部材(５)内に挿通された第１釣糸(２)とを備え、
上記の筒状編込部材(５)は、この筒状編込部材(５)へ上記の第１釣糸(２)に沿って上記の第２釣糸(３)を挿通したのち、両釣糸(２・３)を周囲から締め付け可能に縮径でき、
この縮径した筒状編込部材(５)は、各釣糸(２・３)の端部(2a・3a)に形成された径大部(７)を受け止めできることを特徴とする、釣糸接続具。
【請求項１３】
所定長さの案内路(９)が形成された挿通案内具(10)を上記の筒状編込部材(５)内にさらに備えており、
上記の筒状編込部材(５)は、この挿通案内具(10)を取り去ったのち、上記の両釣糸(２・３)を周囲から締め付けるように縮径できる、請求項１１または請求項１２に記載の釣糸接続具。
【請求項１４】
上記の筒状編込部材(５)よりも長い挿通補助具(11・14)を、その筒状編込部材(５)内を貫通する状態にさらに備えており、
この挿通補助具(11・14)は一端に環状部(12)を備え、この環状部(12)に釣糸(２・３)を挿通した状態で上記の筒状編込部材(５)から抜き取り可能に構成してあり、
上記の筒状編込部材(５)は、この挿通補助具(11・14)を抜き取ったのち、上記の両釣糸(２・３)を周囲から締め付けるように縮径できる、請求項１１から１３のいずれか１項に記載の釣糸接続具。
【請求項１５】
上記の接続用糸(４)は、吸水性に優れた繊維からなる、請求項１１から１４のいずれか１項に記載の釣糸接続具。
【請求項１６】
上記の接続用糸(４)は、捲縮率の大きい繊維からなる、請求項１１から１５のいずれか１項に記載の釣糸接続具。
【発明の詳細な説明】
【技術分野】
【０００１】
本発明は釣糸の端部同士を接続する釣糸の接続方法とこれに用いる釣糸接続具に関し、さらに詳しくは、簡単な操作で接続できるうえ、結束部の形成による引張強力の低下を抑えて釣糸の強力を良好に且つ均等に発揮でき、しかも釣糸に大きな引張力が加わるとこれを緩衝できる、釣糸の接続方法とこれに用いる釣糸接続具に関する。
【背景技術】
【０００２】
例えば、フライフィッシィングの釣糸においてメインラインにリーダーを接続する場合など、釣糸の端部同士を互いに接続する場合がしばしばある。これらの釣糸は一般に表面が滑り易いうえ、釣糸同士の太さが互いに異なることから、その結束部が解け易い問題がある。そこで、この結束部が容易に解けないように釣糸を確りと結ぶため、様々な結束方法が提案されている。しかし、これらの結束方法は、いずれも釣糸同士を互いに結びつけているため、魚がヒットした場合などに引張力が加わると、その結束部に応力が集中して釣糸本来の引張強力よりもかなり低い引張力で破断してしまう問題がある。
【０００３】
また、上記の結束部は一定の手順で釣糸を結ぶ必要があるが、釣人の習熟度などによって応力集中の生じ易さが異なる。このため、同じ結束方法であっても釣糸強力の低下率にバラツキを生じる問題もある。例えば、ポリアミド樹脂繊維や超高分子量ポリエチレン樹脂繊維(登録商標「ダイニーマ」など)の高強力を備えた釣糸にあっては、結束部を形成した場合、その引張強力が３０〜３５％程度にまで低下してしまう場合もあり、釣糸本体の優れた特性を十分に発揮することができない問題があった。
【０００４】
釣糸の引張強力ができるだけ低下しない接続方法として、例えばブラッドノット等の接続方法が提案されている。しかしこの接続方法は結び方が複雑であり、釣り場において手作業で釣糸の端部同士を接続することは極めて煩雑で、初心者に限らず容易でない。そこで従来、このブラッドノットを容易に形成できるように、様々な釣糸の結束器具が提案されている(例えば、特許文献１参照、以下、従来技術という)。
【０００５】
即ちこの従来技術は、釣糸を挟む挟持具を両端部に備えた基台と、長さ方向に複数の釣糸通し用孔を有するバーとからなる。２本の釣糸は端部寄り位置を互いに対向させて上記の挟持具に挟持され、両釣糸間に配置した上記のバーを回転させることで、上記の釣糸を互いに絡み合わせるように撚りあわされる。そして釣糸の端部が上記のバーの釣糸通し用孔へ挿通され、ついでこのバーを移動させることで、この釣糸の端部が結束部の中央に挿通される。その後、バーを結束部から抜き取り、釣糸を引っ張ることでブラッドノットが形成される。
【先行技術文献】
【特許文献】
【０００６】
【特許文献１】実開昭５７−０９４３７２号公報
【発明の概要】
【発明が解決しようとする課題】
【０００７】
上記の従来技術では、複雑な手順を必要とするブラッドノットが確実に形成されるものの、嵩高い結束器具を必要とするうえ、接続のつど釣糸を基台に張設したうえで、バーを回転させなければならず、結束操作が煩雑であるうえ、必ずしも容易ではない。しかも、釣糸自体を他の釣糸に絡み合わせることで結束部を形成することから、釣糸に張力が加わるとその結束部に引張応力が集中することには変わらず、この従来技術による釣糸の接続においても、釣糸本来の引張強力を十分に発揮できない問題点が残されている。
【０００８】
本発明の技術的課題は上記の問題点を解消し、簡単な操作で接続できるうえ、結束部の形成による引張強力の低下を抑えて釣糸の強力を良好に且つ均等に発揮でき、しかも釣糸に大きな引張力が加わるとこれを緩衝できる、釣糸の接続方法とこれに用いる釣糸接続具を提供することにある。
【課題を解決するための手段】
【０００９】
本発明は上記の課題を解決するために、例えば、本発明の実施の形態を示す図１から図７に基づいて説明すると、次のように構成したものである。
すなわち、本発明１は釣糸の接続方法に関し、第１釣糸(２)と第２釣糸(３)とを互いに接続する釣糸の接続方法であって、上記の第１釣糸(２)の端部(2a)を第２釣糸(３)の端部(3a)近傍に沿わせて並列部(６)を形成し、上記の並列部(６)は、接続用糸(４)を筒状に編み込んで形成した筒状編込部材(５)内に配置し、各釣糸(２・３)の端部(2a・3a)のうち上記の筒状編込部材(５)から外れた部位にそれぞれの糸径よりも大きい径大部(７)を形成し、上記の並列部(６)を上記の筒状編込部材(５)で周囲から締め付けたのち、上記の両釣糸(２・３)の端部(2a・3a)を互いに近接させ、上記の各径大部(７)をこの筒状編込部材(５)の両端でそれぞれ受け止めることを特徴とする。
【００１０】
また、本発明２は釣糸接続具に関し、第１釣糸(２)と第２釣糸(３)とを互いに接続する釣糸接続具であって、接続用糸(４)を編み込んで形成した筒状編込部材(５)を備え、この筒状編込部材(５)内には上記の第１釣糸(２)の端部(2a)を第２釣糸(３)の端部(3a)近傍に沿わせて形成した並列部(６)が収容され、この筒状編込部材(５)は、上記の並列部(６)を締め付け可能に縮径でき、この縮径した筒状編込部材(５)は、各釣糸(２・３)の端部(2a・3a)に形成された径大部(７)を受け止めできることを特徴とする。
【００１１】
さらに、本発明３は釣糸接続具に関し、第１釣糸(２)と第２釣糸(３)とを互いに接続する釣糸接続具であって、接続用糸(４)を編み込んで形成した筒状編込部材(５)と、この筒状編込部材(５)内に挿通された第１釣糸(２)とを備え、上記の筒状編込部材(５)は、この筒状編込部材(５)へ上記の第１釣糸(２)に沿って上記の第２釣糸(３)を挿通したのち、両釣糸(２・３)を周囲から締め付け可能に縮径でき、この縮径した筒状編込部材(５)は、各釣糸(２・３)の端部(2a・3a)に形成された径大部(７)を受け止めできることを特徴とする。
【００１２】
上記の第１釣糸と第２釣糸は、互いに結びつけるのではなく、上記の並列部が上記の筒状編込部材で周囲から締め付けられることにより互いに接続される。そしてこの釣糸に引張力が加わった場合は、筒状編込部材で接続されている部位に釣糸同士を結びつける結束部が形成されていないことから、応力が特定部位に集中せずに、釣糸の長さ方向に引張力が加わるので、釣糸本来の引張強力が十分に発揮される。
【００１３】
魚がヒットした場合の衝撃など、釣糸へ急激に大きな引張力が加わった場合には、筒状編込部材の締付力に抗して釣糸が筒状編込部材内を長さ方向へずれ動く。この釣糸の端部には径大部が形成してあり、この径大部が筒状編込部材に受け止められているので、筒状編込部材が２本の釣糸の径大部で挟持されるように圧縮されて、あたかもいわゆるクッションリーダのように作用し、これによりその大きな引張力が緩衝されて、釣糸の早期の破断が防止される。
【００１４】
上記の筒状編込部材は、釣糸を周囲から締め付けるだけであり、この筒状編込部材やこれを構成する接続用糸には引張力が作用しない。また、大きな引張力が加わって釣糸が長さ方向へずれ動いた場合は、この筒状編込部材が上記の径大部により圧縮されるだけである。このため、上記の釣糸に引張力が加わっても、この引張力で上記の筒状編込部材やこれを構成する接続用糸が破断される虞がない。しかもこの筒状編込部材は接続用糸を編込んで形成してあるので、圧縮されても筒形状が維持され、釣糸を周囲から確りと締め付けることができる。
【００１５】
ここで上記の第１釣糸と第２釣糸は、メインラインなどの道糸や、リーダー、ハリスなどの釣糸をいう。また両釣糸は、通常は互いに異なる種類の釣糸が用いられるが、いずれがどの種類の釣糸であってもよく、両釣糸が同じ種類の釣糸であってもよい。さらに一方の釣糸には、釣針が付設してあってもよい。
【００１６】
またこれらの釣糸は、例えばポリアミド樹脂製や超高分子量ポリエチレン樹脂製、フッ素樹脂製など、一般に使用される釣糸を挙げることができるが、これらに限定されるものではなく、他の合成樹脂や金属を含む、単一または複数の材料からなる釣糸であってもよい。さらにこの釣糸は、モノフィラメント糸やマルチフィラメント糸であってもよく、その太さも特定の寸法のものに限定されず、第１釣糸と第２釣糸とが同じ太さであってもよく、或いは互いに異なる太さであってもよい。
【００１７】
上記の筒状編込部材を形成する接続用糸は、筒状に編み込むことができればよく、特定の材質に限定されない。しかしこの接続用糸を吸水性に優れる繊維で構成した場合には、使用時等に吸水すると繊維が収縮して釣糸を確りと締め付けできるので好ましく、また、この接続用糸を捲縮率の大きい繊維で構成すると、釣糸を周囲から確りと締め付けできて好ましい。このような接続用糸としては、具体的には例えばウーリーナイロンを挙げることができるが、これに限定されるものではない。
【００１８】
上記の筒状編込部材は、上記の接続用糸を編込んで形成されるが、この筒状編込部材は長さ方向に圧縮された際に、その筒形状が崩れなければよく、特定の編込み構造に限定されない。具体的には、例えば１本の接続用糸を二つ折りし、一方の糸部分と他方の糸部分を、互いに逆方向の螺旋状に巻回し、一方の糸部分を、他方の糸部分の外側と内側とに交互に通過させる編込み方法を挙げることができる。
【００１９】
上記の筒状編込部材は、釣糸を確りと締め付けることができる長さであればよく、特定の寸法に限定されない。例えば接続用糸を３回以上巻回した長さがあればよいが、この筒状編込部材は長さ方向に圧縮されることで、釣糸に加わる引張力を緩衝できることから、長いほどこの緩衝作用を良好に発揮できて好ましく、通常は、例えば７回〜１３回程度巻回されて形成され、或いはそれ以上の長さに亘って形成される。なお、所定長さの筒状編込部材を複数、直列状に配置することで、一層良好に上記の緩衝作用を発揮させることも可能である。
【００２０】
上記の釣糸の端部に形成する径大部とは、糸径よりも大きく、上記の筒状編込部材の端部に受け止められる大きさであればよく、特定の大きさに限定されない。またこの径大部は、任意の方法で形成することができる。例えば、釣糸の端部に結び目を形成して径大部としてもよく、或いは、他の任意の糸と併せて結び目を形成してより大きな径大部としてもよい。さらに釣糸の端部を溶融させて塊りを形成することにより径大部としてもよく、ビーズなど任意の固形物を釣糸の端部に固定することで径大部を構成してもよい。これらの径大部を釣糸の端部に形成する手順は、予め形成しておいた筒状編込部材内へ釣糸の端部を挿通する場合は、その挿通ののち、その釣糸の端部に形成される。しかし、釣糸の周囲に接続用糸を編込んで筒状編込部材を形成する場合は、筒状編込部材の形成前と形成後のいずれに径大部を形成してもよい。
【００２１】
上記の釣糸の並列部を、上記の筒状編込部材内に配置する方法は、特定の方法に限定されず、例えば次の３つの方法を挙げることができる。
・第１配置方法
上記の筒状編込部材を予め形成しておき、この筒状編込部材に上記の両釣糸を挿通するとともに、この筒状編込部材を挟んで互いに反対側の位置に、上記の各釣糸の端部をそれぞれ配置する。
この第１配置方法によれば、筒状編込部材を予め作成しておけるので、釣場で釣糸を挿通して簡単に接続することができる。
【００２２】
・第２配置方法
上記の第１釣糸の周囲で上記の接続用糸を編み込むことにより、この第１釣糸の周囲に上記の筒状編込部材を形成し、この筒状編込部材内へ第２釣糸を上記の第１釣糸に沿って挿通する。
この第２配置方法によれば、第１釣糸を筒状編込部材内に予め配置してあるので、例えば釣り場で釣糸を接続する場合、第２釣糸を筒状編込部材内へ挿通したのち、両釣糸の並列部をこの筒状編込部材で周囲から締め付けるだけでよく、接続操作を一層簡略にできて好ましい。なおこの場合、上記の第１釣糸には、通常、例えばリーダーやハリスなどの、第２釣糸より短い糸が用いられ、この第２釣糸には予め釣針や疑似餌などを固定しておくことが可能である。
【００２３】
・第３配置方法
上記両釣糸の並列部を形成したのち、接続用糸を編み込んでこの並列部の周囲に上記の筒状編込部材を形成する。
この第３配置方法による場合には、釣糸の周囲に接続用糸を編みこむことができる編込用器具を用いると、釣場での操作が簡単となるのでより好ましい。
【００２４】
上記の第１配置方法や第２配置方法にあっては、予め形成した筒状編込部材の内部へ両方または一方の釣糸を挿通することから、この筒状編込部材内に所定長さの案内路を備えた挿通案内具を配置しておくと、釣糸の端部をこの案内路で容易に案内できるので、筒状編込部材内へ釣糸を簡単に挿通できて好ましい。
【００２５】
即ち上記の第１配置方法にあっては、所定長さの案内路を備えた挿通案内具の周囲に上記の筒状編込部材を形成し、各釣糸を上記の案内路で案内して筒状編込部材内へ挿通し、この挿通案内具を筒状編込部材内から取り去ったのち、この筒状編込部材を縮径して上記の両釣糸を周囲から締め付けることで、上記の両釣糸が互いに接続される。
【００２６】
また上記の第２配置方法にあっては、所定長さの案内路を備えた挿通案内具を上記の第１釣糸の端部寄り位置に配置し、この挿通案内具と第１釣糸との周囲に上記の筒状編込部材を形成し、上記の第２釣糸を上記の案内路で案内して上記の筒状編込部材内へ挿通し、この挿通案内具を筒状編込部材内から取り去ったのち、この筒状編込部材を縮径して上記の両釣糸を周囲から締め付けることで、上記の両釣糸が互いに接続される。
【００２７】
なお、上記の案内路の所定長さとは、釣糸の端部を案内して筒状編込部材内に釣糸を挿通できる長さであればよく、筒状編込部材と同じ長さや、僅かに短い長さであってもよいが、確実に釣糸の端部が通過できるように、筒状編込部材よりも長いと好ましい。
【００２８】
上記の挿通案内具は、上記の案内路を備えておればよく、特定の形状や材質のものに限定されない。具体的には、円筒や角筒などの筒状体のほか、断面がコ字形やＵ字形の溝状体、丸めたシート、断面が十字形や星形の棒状体などを挙げることができる。
【００２９】
また上記の第１配置方法や第２配置方法にあっては、予め形成した筒状編込部材の内部へ両方または一方の釣糸を挿通することから、一端に環状部を備え上記の筒状編込部材よりも長い挿通補助具をその筒状編込部材内に配置しておくと、上記の環状部に釣糸を挿通したのち、この挿通補助具を上記の筒状編込部材から抜き取ることで、その釣糸を上記の筒状編込部材内へ容易に挿通できて好ましい。
【００３０】
即ち上記の第１配置方法にあっては、一端に環状部を備え上記の筒状編込部材よりも長い挿通補助具をその筒状編込部材内に配置し、上記の環状部に釣糸を挿通したのち、この挿通補助具を上記の筒状編込部材から抜き取ることで、その釣糸が上記の筒状編込部材内へ挿通される。
【００３１】
また上記の第２配置方法にあっては、一端に環状部を備え上記の筒状編込部材よりも長い挿通補助具を、その筒状編込部材内で上記の第１釣糸に沿って配置し、上記の環状部に上記の第２釣糸を挿通したのち、この挿通補助具を上記の筒状編込部材から抜き取ることで、その第２釣糸が上記の筒状編込部材内へ挿通される。
【００３２】
上記の挿通補助具は、一端に釣糸を挿通できる環状部を備えておればよく、特定の形状や材質のものに限定されない。具体的には、金属製や合成樹脂製の線条体の端部に環状部を形成したものや、線条体を二つ折して折り返し部に上記の環状部を形成したものなどが挙げられる。
【発明の効果】
【００３３】
本発明は上記のように構成され作用することから、次の効果を奏する。
【００３４】
(１)上記の第１釣糸と第２釣糸は、上記の並列部を上記の筒状編込部材内に配置して、この筒状編込部材で周囲から締め付けるだけでよいので、釣糸自体に複雑な結び目を形成する必要がなく、簡単な操作で接続することができる。
【００３５】
(２)釣糸同士を互いに結びつけるための結束部が形成されていないので、引張力が加わっても釣糸の特定部位に応力が集中することがなく、釣糸本来の引張強力を十分に発揮することができる。しかも接続操作が簡単であるので、釣人の習熟度にかかわらず、誰が操作しても、釣糸の引張強力を均等に発揮することができる。
【００３６】
(３)上記の筒状編込部材は、上記の釣糸を周囲から締め付けているだけであるので、魚がヒットした場合の衝撃など、釣糸へ急激に大きな引張力が加わった場合にはこの筒状編込部材の締付力に抗して釣糸が筒状編込部材内を長さ方向へずれ動く。このとき、釣糸の端部に形成した径大部が、筒状編込部材に受け止められているので、筒状編込部材が２本の釣糸の径大部で挟持されるように圧縮され、これによりその大きな引張力を緩衝して、釣糸の早期の破断を防止することができる。
【図面の簡単な説明】
【００３７】
【図１】本発明の第１実施形態を示す、釣糸を接続した釣糸接続具の一部破断図である。
【図２】第１実施形態の、接続前の状態の釣糸接続具の斜視図である。
【図３】第１実施形態の、釣糸接続具での接続手順を説明する模式図である。
【図４】本発明の変形例を示し、図４(ａ)は変形例１の、挿通案内具の斜視図、図４(ｂ)は変形例２の、挿通案内具の斜視図、図４(ｃ)は変形例３の、挿通案内具の斜視図、図４(ｄ)は変形例４の、挿通案内具の斜視図である。
【図５】本発明の変形例５を示す、挿通補助具の正面図である。
【図６】本発明の第２実施形態を示す、接続前の状態の釣糸接続具の斜視図である。
【図７】本発明の第２実施形態の、接続手順を示す斜視図である。
【発明を実施するための形態】
【００３８】
以下、本発明の実施の形態を図面に基づき説明する。
図１から図３は本発明の第１実施形態を示し、図１は釣糸を接続した釣糸接続具の一部破断図、図２は接続前の状態の釣糸接続具の斜視図、図３は釣糸接続具での接続手順を説明する模式図である。
【００３９】
図１に示すように、この釣糸接続具(１)は、ハリスである第１釣糸(２)と道糸である第２釣糸(３)とを接続してある。この釣糸接続具(１)は、接続用糸(４)を編み込んで形成した筒状編込部材(５)を備える。即ち、接続用糸(４)は二つ折りして、一方の糸部分と他方の糸部分を互いに逆方向の螺旋状に巻回してあり、一方の糸部分が、他方の糸部分の外側と内側とを交互に通過するようにして編み込まれている。そしてこの筒状編込部材(５)内に、上記の第１釣糸(２)の端部(2a)を第２釣糸(３)の端部(3a)近傍に沿わせて形成した並列部(６)を収容してある。上記の接続用糸(４)は、例えばウーリーナイロンのように吸水性に優れ、且つ、捲縮率の大きい繊維からなり、この筒状編込部材(５)で上記の並列部(６)を締め付けるように縮径してある。上記の第１釣糸(２)の端部(2a)と第２釣糸(３)の端部(3a)には、それぞれ結び目からなる径大部(７)が形成してある。この径大部(７)はそれぞれの糸径よりも大きく、上記の縮径した筒状編込部材(５)の端部に受け止めてある。なおこの第１実施形態では、上記の第１釣糸(２)の他の端部に釣針(８)が固定してある。しかし本発明では、例えばルアーなどを付設したものであってもよい。
【００４０】
上記の釣糸接続具(１)の接続前の状態では、例えば図２に示すように、上記の筒状編込部材(５)内に、所定長さの案内路(９)が形成された挿通案内具(10)をさらに備えている。即ちこの挿通案内具(10)は、筒状編込部材(５)よりも僅かに長く、断面がコ字形の溝状体に形成されており、その溝部で上記の案内路(９)が構成されている。さらに、この案内路(９)内には、筒状編込部材(５)よりも長い挿通補助具(11)が、その筒状編込部材(５)内を貫通する状態に配置してある。この挿通補助具(11)は、一端に環状部(12)を備え、他端に引抜操作用保持部(13)が設けてある。なおこの第１実施形態では、筒状編込部材(５)内に１本の挿通補助具(11)が配置してあるが、本発明では、図２の仮想線に示すように、さらに第２の挿通補助具(14)を、上記の挿通補助具(11)とは逆方向に配置したものであってもよい。
【００４１】
次に、上記の釣糸接続具(１)により第１釣糸(２)と第２釣糸(３)とを互いに接続する手順について、図３を用いて説明する。
最初に、図３(ａ)に示すように、上記の挿通案内具(10)の案内路(９)で第１釣糸(２)の端部(2a)を案内して筒状編込部材(５)内に挿通し、その端部(2a)に結び目からなる径大部(７)を形成する。なお、上記の第１釣糸(２)が曲がり易い場合など、上記の案内路(９)で容易に案内できない場合は、上記の図２の仮想線に示す第２の挿通補助具(14)を用い、その環状部(12)に第１釣糸(２)の端部(2a)を挿通したのち、この第２挿通補助具(14)を筒状編込部材(５)から引き抜くことでこの第１釣糸(２)を挿通してもよい。
【００４２】
次に、図３(ｂ)に示すように、上記の挿通補助具(11)の環状部(12)に第２釣糸(３)の端部(3a)を挿通し、この挿通補助具(11)を筒状編込部材(５)から抜き取る。これにより、上記の第２釣糸(３)は筒状編込部材(５)内に挿通され、第１釣糸(２)の端部(2a)を第２釣糸(３)の端部(3a)近傍に沿わせて形成した並列部(６)が、上記の筒状編込部材(５)内に配置される。このとき、上記の各釣糸(２・３)の端部(2a・3a)は、それぞれ上記の筒状編込部材(５)を挟んで互いに反対側の位置に配置される。
【００４３】
次いで、図３(ｃ)に示すように、上記の挿通案内具(10)を上記の筒状編込部材(５)から抜き取り、図３(ｄ)に示すように、第１釣糸(２)の端部(2a)に結び目からなる径大部(７)を形成したのち、筒状編込部材(５)を構成する接続用糸(４)を引っ張ってこの筒状編込部材(５)を縮径し、上記の並列部(６)を筒状編込部材(５)で周囲から締め付ける。
【００４４】
その後、図３(ｅ)に示すように、上記の第１釣糸(２)と第２釣糸(３)を互いに反対側へ引っ張って、両釣糸(２・３)の端部(2a・3a)を互いに近接させ、上記の各径大部(７・７)を上記の筒状編込部材(５)の両端でそれぞれ受け止めると、図３(ｆ)に示すように、両釣糸(２・３)が互いに接続された状態となる。
【００４５】
次に、上記の釣糸接続具(１)を用いて接続した実施例１と実施例２の引張強力及び伸度を、従来のオルブライトノットにより釣糸同士を互いに結束する比較例１、２と比較して測定した。その測定結果を次の表１に示す。なお、測定には、第１釣糸としてフッ素樹脂製釣糸を、第２釣糸として超高分子量ポリエチレン樹脂製釣糸をそれぞれ用い、１０回の測定の結果の平均値を算出した。
【００４６】
【表１】
2010166828.tif 000003
【００４７】
上記の測定結果から明らかなように、比較例１、２の、複雑な結束方法であるが釣糸の強力を効果的に発揮できると言われているオルブライトノットに比べ、本発明の接続方法によれば、簡単な接続方法でありながら高い引張強力が得られ、釣糸本来の引張強力を十分に発揮できていることがわかる。
【００４８】
上記の第１実施形態では、挿通案内具として断面がコ字形の溝状体を用いた。しかし本発明では他の形状の挿通案内具を用いることができる。
例えば、図４(ａ)に示す変形例１では、挿通案内具(10)を断面がＵ字形の溝状体で構成してある。図４(ｂ)に示す変形例２では、挿通案内具(10)を断面が円形の筒状体で構成してある。図４(ｃ)に示す変形例３では、挿通案内具(10)を丸めたシートで構成してある。図４(ｄ)に示す変形例４では、挿通案内具(10)を断面が十字形の棒状態で構成してある。
【００４９】
また、上記の第１実施形態では、挿通補助具(11)として、一端に環状部(12)を備えた線条体で構成した。しかし本発明では、例えば図５に示す変形例５のように、線条体を二つ折して、その折り返し部に上記の環状部(12)を形成したものであってもよい。
【００５０】
図６は本発明の第２実施形態を示す、釣糸接続具の斜視図である。
この第２実施形態では、挿通案内具(10)の周囲に、接続用糸(４)を編み込んで筒状編込部材(５)が形成してあり、この筒状編込部材(５)内に予め第１釣糸(２)の端部(2a)寄り位置が挿通してある。
【００５１】
この筒状編込部材(５)内には、上記の第１実施形態と同様、挿通案内具(10)内に挿通補助具(11)が挿通してあり、第１釣糸(２)が予め筒状編込部材(５)内に挿通されているほかは、上記第１実施形態と同様に操作されて、上記の第１釣糸(２)と図外の第２釣糸とが接続される。
【００５２】
図７は本発明の第３実施形態を示す、釣糸接続方法の説明図である。
上記の第１実施形態では、上記の筒状編込部材(５)を予め形成しておき、この筒状編込部材(５)内に第１釣糸(２)と第２釣糸(３)とを挿通した。これに対しこの第３実施形態では、第１釣糸(２)の端部(2a)を第２釣糸(３)の端部(3a)近傍に沿わせて並列部(６)を形成したのち、接続用糸(４)を編み込んでこの並列部(６)の周囲に筒状編込部材(５)を形成してある。なお、両釣糸(２・３)の端部(2a・3a)には、それぞれ予め径大部(７)が形成してある。しかしこの第３実施形態では、筒状編込部材(５)を形成したのち、各釣糸(２・３)の端部(2a・3a)に上記の径大部(７)を形成してもよい。
【００５３】
この第３実施形態では、筒状編込部材(５)を形成することで、両釣糸(２・３)の並列部(６)をその筒状編込部材(５)で周囲から締め付けることができる。従って、この筒状編込部材(５)を形成したのち、上記の両釣糸(２・３)の端部(2a・3a)を互いに近接させて、上記の各径大部(７)をこの筒状編込部材(５)の両端でそれぞれ受け止めるだけでよい。
【００５４】
上記の実施形態で説明した釣糸の接続方法やこれに用いる釣糸接続具は、本発明の技術的思想を具体化するために例示したものであり、各部材の形状や材質、構造、手順などをこの実施形態のものに限定するものではなく、本発明の特許請求の範囲内において種々の変更を加え得るものである。
【００５５】
例えば、上記の各実施形態では、上記の径大部を結び目で形成したが、本発明では、他の任意の糸と併せてより大きな結び目を形成してもよく、或いは釣糸の端部を溶融させて簡単に塊り状の径大部としたり、ビーズなど任意の固形物を釣糸の端部に固定して径大部としてもよい。また、上記の釣糸の材質や太さなどは、上記の実施形態のものに限定されないことは、いうまでもない。
【産業上の利用可能性】
【００５６】
本発明の釣糸の接続方法とこれに用いる釣糸接続具は、簡単な操作で接続できるうえ、結束部の形成による引張強力の低下を抑えて釣糸の強力を良好に且つ均等に発揮でき、しかも釣糸に大きな引張力が加わるとこれを緩衝できるので、フライフィッシィングをはじめ各種の魚釣に好適である。
【符号の説明】
【００５７】
１…釣糸接続具
２…第１釣糸
2a…第１釣糸(２)の端部
３…第２釣糸
3a…第２釣糸(３)の端部
４…接続用糸
５…筒状編込部材
６…並列部
７…径大部
９…案内路
10…挿通案内具
11…挿通補助具
12…環状部
14…第２の挿通補助具
【図１】
2010166828.tif 000004
【図２】
2010166828.tif 000005
【図３】
2010166828.tif 000006
【図４】
2010166828.tif 000007
【図５】
2010166828.tif 000008
【図６】
2010166828.tif 000009
【図７】
2010166828.tif 000010